(57)【要約】【課題】直飲みを可能としながらも、コップを一体状に持ち運ぶことが可能で、使用者の好みに応じて、直飲みとコップ飲みとを迅速にかつ容易に行うことが可能な携帯用飲料ボトルを提供する。【解決手段】ボトル本体１と、ボトル本体１に施蓋状に取着されると共に直飲み可能な吐出管部21を上方突出状に有する蓋部材２と、蓋部材２に水平状軸心Ｌ３廻りに揺動自在に枢着されると共に上記吐出管部21の上端部を密封するためのパッキン31を有するキャップ３と、を備えた携帯用飲料ボトルに於て、吐出管部21と閉状態のキャップ３とを包囲状として蓋部材２に着脱自在に取着されるコップ５を備えた。【選択図】図２
2020022686.tif 000002
【特許請求の範囲】
【請求項１】
ボトル本体（１）と、上記ボトル本体（１）に施蓋状に取着されると共に直飲み可能な吐出管部（21）を上方突出状に有する蓋部材（２）と、上記蓋部材（２）に水平状軸心（Ｌ３）廻りに揺動自在に枢着されると共に上記吐出管部（21）の上端部を密封するためのパッキン（31）を有するキャップ（３）と、を備えた携帯用飲料ボトルに於て、
上記吐出管部（21）と閉状態の上記キャップ（３）とを包囲状として上記蓋部材（２）に着脱自在に取着されるコップ（５）を備えたことを特徴とする携帯用飲料ボトル。
【請求項２】
上記キャップ（３）に水平状の枢支軸心（Ｌ６）廻りに前後シーソー状揺動可能に設けられると共に、上記蓋部材（２）に下部（６ｂ）が係止して上記キャップ（３）を閉状態に保持するためのロック部材（６）を備え、
上記ロック部材（６）の上部（６ａ）を押圧することで、上記キャップ（３）のロックが解除されるように構成した請求項１記載の携帯用飲料ボトル。
【請求項３】
上記吐出管部（21）は、上記蓋部材（２）の突出基準上面（２ｇ）から所定突出寸法（Ｈ）だけ突出し、
上記水平状軸心（Ｌ３）は、上記突出基準上面（２ｇ）から上記所定突出寸法（Ｈ）の４０％以上７０％以下の高さ寸法（ｈ）に設定されている請求項１又は２記載の携帯用飲料ボトル。
【請求項４】
上記蓋部材（２）は、上記ボトル本体（１）の開口部（１ａ）と連通する裏面空間部（22）と、上記吐出管部（21）の内部とを、前後縦長状の孔部（25ｄ）が貫設された区画壁部（25）を介して連通している請求項１，２又は３記載の携帯用飲料ボトル。
【発明の詳細な説明】
【技術分野】
【０００１】
本発明は、携帯用飲料ボトルに関する。
【背景技術】
【０００２】
従来の携帯用飲料ボトルは、水やお茶等の飲料を貯えるための有底筒状のボトル本体と、上記ボトル本体に施蓋状に取着されると共に、上方突出状の吐出管部を有する蓋部材と、を備えていた（例えば、特許文献１参照）。そして、人の口を吐出管部に直接接触させて飲料を飲むように（直飲みをするように）構成されていた。
【先行技術文献】
【特許文献】
【０００３】
【特許文献１】特開２０１７−８８２３７号公報
【発明の概要】
【発明が解決しようとする課題】
【０００４】
しかし、従来の直飲み形式の携帯用飲料ボトルは、人の口を吐出管部に直接接触させて飲む直飲みを行うため、不衛生であるといった問題や、飲料が熱い場合に唇や口内をやけどする虞れがあり危険であるといった問題があった。そこで、飲料をコップに注いで飲むことが考えられるが、携帯用飲料ボトルとは別体として、コップを常に携帯する必要があるため、持ち運びに不便で、使い勝手が悪いといった問題があった。言い換えると、従来の直飲み形式の携帯用飲料ボトルだけでは、コップ飲みをすることができなかった。
【０００５】
そこで、本発明は、直飲みを可能としながらも、コップを一体状に持ち運ぶことが可能で、使用者の好みに応じて（選択的に）、直飲みとコップ飲みとを容易に行うことが可能な携帯用飲料ボトルの提供を目的とする。
【課題を解決するための手段】
【０００６】
本発明の携帯用飲料ボトルは、ボトル本体と、上記ボトル本体に施蓋状に取着されると共に直飲み可能な吐出管部を上方突出状に有する蓋部材と、上記蓋部材に水平状軸心廻りに揺動自在に枢着されると共に上記吐出管部の上端部を密封するためのパッキンを有するキャップと、を備えた携帯用飲料ボトルに於て、上記吐出管部と閉状態の上記キャップとを包囲状として上記蓋部材に着脱自在に取着されるコップを備えたものである。
また、上記キャップに水平状の枢支軸心廻りに前後シーソー状揺動可能に設けられると共に、上記蓋部材に下部が係止して上記キャップを閉状態に保持するためのロック部材を備え、上記ロック部材の上部を押圧することで、上記キャップのロックが解除されるように構成したものである。
【０００７】
また、上記吐出管部は、上記蓋部材の突出基準上面から所定突出寸法だけ突出し、上記水平状軸心は、上記突出基準上面から上記所定突出寸法の４０％以上７０％以下の高さ寸法に設定されているものである。
また、上記蓋部材は、上記ボトル本体の開口部と連通する裏面空間部と、上記吐出管部の内部とを、前後縦長状の孔部が貫設された区画壁部を介して連通しているものである。
【発明の効果】
【０００８】
本発明によれば、使用者の好みや飲料に応じて、直飲みとコップ飲みとを簡単に選択できて、好都合である。コップを別体として持ち運ぶ必要が無く、携帯性に優れ、紛失の虞れがなく、使い勝手が良い。他者へ飲料を衛生的にかつ迅速に分け与えることができる。熱い飲み物である場合には、コップに移して安全に飲むことができる。
【図面の簡単な説明】
【０００９】
【図１】本発明の実施の一形態を示す断面正面図である。
【図２】断面側面図である。
【図３】コップ分離状態の要部正面図である。
【図４】コップ分離状態の要部側面図である。
【図５】キャップ開状態の要部側面図である。
【図６】キャップ開状態の要部断面側面図である。
【図７】直飲み使用状態を示す側面図である。
【図８】コップ飲み使用状態を示す側面図である。
【図９】蓋本体の一例を示す平面図である。
【図１０】蓋本体の一例を示す背面図である。
【図１１】作用を説明するための要部断面側面図である。
【発明を実施するための形態】
【００１０】
以下、図示の実施形態に基づき本発明を詳説する。
本発明に係る携帯用飲料ボトルは、図１と図２に示すように、有底筒状のボトル本体１と、ボトル本体１の開口部１ａに施蓋状に取着されると共に直飲み可能な円筒状の吐出管部21を上方突出状に有する蓋部材２と、蓋部材２に水平状軸心Ｌ３廻りに揺動自在に枢着されると共に蓋部材２の吐出管部21の上端部を密封するためのパッキン31を有するキャップ３と、キャップ３に水平状の枢支軸心Ｌ６廻りに前後シーソー状揺動可能に設けられ蓋部材２に下部６ｂが係止してキャップ３を閉状態に保持するためのロック部材６と、蓋部材２に水平状の揺動軸心Ｌ７廻りに揺動自在に枢着する門型の持ち手部材７と、を備えている。
【００１１】
そして、蓋部材２の吐出管部21と、閉状態のキャップ３とを、包囲状として、蓋部材２に着脱自在に取着されるコップ５を備えている。
図１乃至図４に示すように、コップ５は樹脂成形品の有底円筒形状である。
コップ５が蓋部材２に着脱自在に取着するコップ取着手段は、ネジ部による螺合であって、コップ５の開口部に設けた雌ネジ部56と、蓋部材２に設けた雄ネジ部26と、で構成され、コップ５を、下方開口状姿勢（倒立状姿勢）として、蓋部材２に螺合可能である。
【００１２】
そして、平面視で蓋部材２の雄ネジ部26よりもラジアル内方位置に、吐出管部21と、閉状態のキャップ３と、ロック部材６と、キャップ３と蓋部材２との枢着部４と、が配設されている。
つまり、蓋部材２の雄ネジ部26に、下方開口状姿勢としたコップ５の雌ネジ部56が螺合すると（螺合が完了すると）、図１と図２に示すように、吐出管部21と、閉状態のキャップ３と、ロック部材６と、枢着部４と、がコップ５の内部へ収容され保護される。
【００１３】
図１及び図２に示すように、蓋部材２にコップ５を螺合させたコップ取付け状態では、ロック部材６の操作が行えず（不意にロック部材６が操作されてキャップ３のロックが解除されず）、飲料が漏れるのを防止できる。
つまり、コップ５は、ロック部材６の操作を保護する誤操作防止機能を発揮する（ロック保護部材と併用している）。
【００１４】
図３と図４に示すように、持ち手部材７を水平状姿勢に揺動させて、蓋部材２からコップ５を分離（螺脱）させた状態で、ロック部材６の上部６ａを押圧操作すると、キャップ３のロック状態（閉状態の保持）が解除される。
図５と図６に示すように、キャップ３が後方へ揺動すると、吐出管部21が露出して、吐出管部21から飲料を吐出させることが可能なキャップ開状態となる。
【００１５】
図７に示すように、吐出管部21の先端部に、使用者（人）の口を、当接させて、飲料を飲む直飲みが可能である。
さらに、図８に示すように、吐出管部21から流出（吐出）させた飲料をコップ５に注いで、コップ５を用いて飲料を飲むコップ飲みが可能である。
そして、コップ５を使用した後は、キャップ３を閉状態にしてコップ５を蓋部材２に螺合させれば、蓋部材２が取着されているボトル本体１と、コップ５とを、一体に持ち運ぶことができて、至便である。
【００１６】
図２乃至図４に示すように、ロック部材６は、樹脂成型品であって、前後中間位置が、左右水平状の枢支軸心Ｌ６をもって、キャップ３の前部に枢支されている。
図２に於て、ロック部材６の下部６ｂ（枢支軸心Ｌ６よりも下方位置）は、裏面に、蓋部材２の蓋爪部23と係合するためのロック爪部62と、キャップ３の前部に設けたストッパ部36に（ロック爪部62が所定の係合可能位置の際に）当接する当り面63と、を有している。
ロック部材６の上部６ａ（枢支軸心Ｌ６よりも上方位置）は、縦断面トの字状に形成され、裏面に、キャップ３の前部に設けた当り面39に常時当接して、ロック部材６の上部６ａを前方へ常時弾発付勢する弾性片部69を有している。
【００１７】
ロック部材６の上部６ａの表て面を押圧操作面とし、その操作面を後方へ押圧（操作）すると、弾性片部69が当り面39によって弯曲するように弾性変形し、ロック部材６の下部６ｂが前方へ揺動して、ロック爪部62が蓋爪部23から離脱して、キャップ３のロック状態（閉状態の保持）が、解除されるように構成している。
【００１８】
使用者は、キャップ３を上方から把持しつつロック部材６の上部６ａを押圧操作できるため、キャップ３が後方へ揺動して、パッキン31が吐出管部21から離間し、お茶やコーヒー等の熱い飲料による蒸気が、キャップ３の下前端縁近傍と蓋部材２との間に形成される隙間から噴き出しても（漏れても）、操作者の手指に蒸気が勢いよく触れず、安全にキャップ３を開状態にできる。
【００１９】
ロック部材６の上部６ａへの押圧操作力が解除されると、弾性片部69の弾性的復元力によって、シーソー状揺動して、ロック部材６の下部６ｂの当り面63が、キャップ３のストッパ部36に当接し、ロック爪部62が所定の係合可能位置に配設される（押圧操作前の位置に戻る）。
【００２０】
ここで、キャップ３と蓋部材２との枢着部４には、キャップ３を、常時、開揺動方向へ（後方へ）弾発付勢する図示省略の弾発付勢部材が設けられている。
弾発付勢部材は、キャップ３の後部と、蓋部材２に設けた上方突出状の軸支持部28と、を挿通する枢着軸に、巻き付き状に配設されたねじりコイルバネである。ねじりコイルバネは、一端部が蓋部材２に保持され、他端部がキャップ３に当接し、開揺動方向の弾発付勢力が発揮されるように設けている。
【００２１】
そして、使用者が、弾発付勢部材に抗してキャップ３を前方へ閉揺動させると、ロック爪部62の下面側に前方下傾状に形成した摺接面に、蓋爪部23の上面側に後方上傾状に形成したガイド面が摺接し、ロック爪部62が（弾性片部69に抗して）前方へ移動するように逃げて、ロック爪部62が蓋爪部23を乗り越えつつ下方位置へ移動する。その後、弾性片部69の弾性的復元力によってロック部材６の下部６ｂが後方へ揺動し、ロック部材６の当り面63がキャップ３のストッパ部36に当接して後方への揺動が阻止され、ロック爪部62が所定の係合可能位置となって（に戻って）、蓋爪部23と係合したキャップ閉状態（ロック状態）となる。
【００２２】
図１と図２及び図６に示すように、キャップ３は、吐出管部21を収容可能な有蓋円筒状部を有する樹脂成形品のキャップ本体30と、ゴム製（シリコンゴム製）のパッキン31と、を有している。
キャップ本体30は、有蓋円筒状部の天井壁部30ｃの内面から突出状（基準姿勢において下方突出状）に設けた横断面Ｃ字状の突出部30ａと、突出部30ａのＣ字の開口部に対応して天井壁部30ｃの内面に形成された凹溝状の空気通路30ｂと、を有している。
【００２３】
パッキン31は、有底円筒状部31ａと、有底円筒状部31ａの上下中間部から外鍔状に設けた傘（吸盤）状のシール部31ｂと、を有している。
そして、有底円筒状部31ａを、キャップ本体30の突出部30ａに外嵌状に取着させている。このように構成することで、キャップ本体30の天井壁部30ｃに貫孔を形成せずにパッキン31を取着でき、キャップ閉状態で、キャップ内部を衛生的に保つことができる。
【００２４】
図１と図２に示すように、キャップ閉状態（ロック状態）で、パッキン31のシール部31ｂが、吐出管部21の上端部を施蓋状に密封して（シールして）、飲料の漏れを防止する。
また、吐出管部21にパッキン31が密着した際に、シール部31ｂが吸盤作用により天井壁部30ｃに吸着するのを、空気通路30ｂによって、防止している。また、突出部30ａを横断面Ｃ字状とし空気通路30ｂをＣ字の開口部に対応させることで、（吸着を防止して）パッキン31の組み付け作業や取外し作業（組立や保守・修理）を容易としている。
【００２５】
さらに、図３乃至図５に示すように、吐出管部21は、蓋部材２の突出基準上面２ｇから所定突出寸法Ｈだけ突出している。
そして、水平状軸心Ｌ３（枢着軸）は、突出基準上面２ｇから所定突出寸法Ｈの４０％以上７０％以下の高さ寸法ｈに設定（配設）している。
このように構成することで、キャップ３を閉状態にする際に、パッキン31のシール部31ｂを、吐出管部21の上端部に、上方から（ほぼ真上から）垂直状に接近させて被せるように接触させることができ、吐出管部21の上端部にシール部31ｂが摺れながら施蓋状に配設されず、シール部31ｂのゆがみやこぜ等の変形や、こすれや磨耗等の損傷を防止して、密封性を確実に得ることができると共に、パッキン31の長寿命化を図れる。
【００２６】
なお、高さ寸法ｈを、所定突出寸法Ｈの４０％未満となるように設定すると、吐出管部21の上端部にシール部31ｂが大きく（長く）摺れながら施蓋状に配設され、変形や損傷が生じて密封性が損なわれる虞れがあると共に、パッキン31の寿命が低下する虞れがある。また、吐出管部21やキャップ３を大径に設ける必要があり、コンパクト化が困難である。また、高さ寸法ｈを、所定突出寸法Ｈの７０％を越えるように設定すると、蓋部材２の軸支持部28を大きく上方へ突出する必要があり、美観が損なわれる。また、開閉揺動させる際に吐出管部21にキャップ本体30が接触しないようにキャップ本体30を大型化する必要があり、コンパクト化が困難になる。
【００２７】
図１乃至図６に示すように、蓋部材２は、細径の煙突状の吐出管部21と、雄ネジ部26と、ボトル本体１に螺合するボトル用雌ネジ部27と、を一体に有する樹脂成型品の蓋本体20を有している。
図１と図２と図６に示すように、蓋部材２は、蓋本体20と、蓋本体20の裏面空間部22に配設されボトル本体１の開口部１ａの上端部に密着して蓋本体20とボトル本体１の間をシール（水密）するゴム製（シリコン製）の環状パッキン29と、を備えている。
【００２８】
図１と図２と図９と図10に示すように、蓋本体20は、ボトル本体１の開口部１ａと連通する裏面空間部22と、吐出管部21の内部とを、前後縦長の孔部25ｄが貫設された区画壁部25を介して連通している。
図９に於て、平面視で孔部25ｄの最大左右開口幅寸法ｗは、吐出管部21の先端開口内径寸法Ｄよりも小さく設定し、平面視で孔部25ｄの最大前後開口寸法ｅは、先端開口内径寸法Ｄと同等（先端開口内径寸法Ｄの９０％以上１００％以下）となるように設定している。
【００２９】
吐出管部21の上端部(先端部)は円筒形状で、人の口を当接させやすい形状としながらも、吐出管部21の下端部（基端部）においては飲料が前後縦長の孔部25ｄを介して吐出管部21の内部に流入してくるため、ボトル本体１から吐出管部21への急激な（大量の）流入を防止する。つまり、直飲みの際は、飲料を口で受けやすく（一気に飲料が吐出せず、こぼれにくくて飲みやすく）、コップ飲みの際はコップ５に注ぎやすい。
【００３０】
また、図11に示すように、キャップ３のロックが不完全なまま（ロック状態になっていないまま）、コップ５を、蓋部材２に取着（螺合）しようとすると、コップ奥（底）壁部51の内面から開口部側（下方）へ突出状に設けた小凸部状のキャップ押圧部52が（コップ５の下方への螺進に伴って）、キャップ３を下方へ押圧して揺動させて、図１と図２に示すように、キャップ３を閉状態（ロック状態）にする。
このように、コップ５にキャップ押圧部52が設けられているため、キャップ３のロックが不完全なまま、持ち運んだり、バッグに収容されることがなく、飲料漏れを防止できる。なお、押圧部52は、コップ５の底壁部51そのものとするも良い。あるいは、底壁部51に固着した押圧用部材から成るように構成するも良い。
【００３１】
図３と図４及び図９に於て、蓋本体20は、外周段付きの有蓋円筒形状であって、持ち手部材７が枢着する平面視円形状の第１の周壁部81と、第１の周壁部81より小径に形成された平面視円形状の第２の周壁部82と、を有している。
そして、第２の周壁部82にコップ取着手段の一方である雄ネジ部26を設け、第２の周壁部82の上面82ａに、突出基準上面２ｇを形成する上方突出状の台座部24、吐出管部21、軸支持部28等を設けている。
また、第１の周壁部81の上面81ａにコップ５の開口端面が当接して螺進が停止する（螺合が完了する）ように設けている。
【００３２】
言い換えると、第２の周壁部82の外周面にコップ取着手段の一方部を設け、コップ５の開口部の内周面にコップ取着手段の他方部を設けて、コップ５の開口部の内周面を、第２の周壁部82の外周面に対応させて、着脱自在に取着している。
図示省略するが、コップ取着手段は、ネジ部による螺合に限らず、凸部と凹部による係合や、コップ５の弾性変形によって開口部を拡径させて、蓋部材２の第２の周壁部82に外嵌状に嵌め込む嵌合等自由である。
【００３３】
図１に於て、ボトル本体１は、金属製であって、二重筒状の断熱構造を有し、開口部１ａと、開口部１ａの外周面に形成された蓋用雄ネジ部と、を有している。
また、図１に示すように、吐出管部21の管軸心Ｌｂは、ボトル軸心Ｌａと左右方向同位置に配設されている。そして、図２に示すように、吐出管部21の管軸心Ｌｂは、ボトル軸心Ｌａよりも前方位置に偏心させて配設して、直飲みやコップ５への注ぎを容易としている。
【００３４】
なお、本発明の説明を容易にするために、水平面状の設置面に、ボトル本体１の軸心Ｌａを鉛直状として載置した図１と図２のコップ取着状態の起立姿勢を、基準姿勢として、上下方向を説明している。また、水平状軸心Ｌ３と枢支軸心Ｌ６と揺動軸心Ｌ７は、相互に平行状に配設される。また、水平状軸心Ｌ３に沿った方向を左右方向と呼び、水平状軸心Ｌ３とボトル軸心Ｌａとに直交する方向を前後方向と呼び、枢着部４側を後方と呼んで方向を説明している。したがって、方向を基に、使用状態の姿勢を限定するものではない。例えば、ボトル本体１の軸心Ｌａを水平状とした横置き姿勢で、リュックサックや鞄等に収納しても良い。
【００３５】
なお、本発明は、設計変更可能であって、図示省略するが、蓋部材２は、ボトル本体１の開口部１ａの内周面に形成した蓋用雌ネジ部に螺着するように、ボトル用雄ネジ部を設けたものであっても良い。
【００３６】
以上のように、本発明の携帯用飲料ボトルは、ボトル本体１と、上記ボトル本体１に施蓋状に取着されると共に直飲み可能な吐出管部21を上方突出状に有する蓋部材２と、上記蓋部材２に水平状軸心Ｌ３廻りに揺動自在に枢着されると共に上記吐出管部21の上端部を密封するためのパッキン31を有するキャップ３と、を備えた携帯用飲料ボトルに於て、上記吐出管部21と閉状態の上記キャップ３とを包囲状として上記蓋部材２に着脱自在に取着されるコップ５を備えたので、使用者の好みや飲料に応じて、直飲みとコップ飲みとを簡単に選択できて、好都合である。コップ５を別体として持ち運ぶ必要が無く、携帯性に優れ、紛失の虞れがなく、使い勝手が良い。他者へ飲料を衛生的にかつ迅速に分け与えることができる。熱い飲み物の場合には、コップ５に移して安全に飲むことができる。
【００３７】
また、上記キャップ３に水平状の枢支軸心Ｌ６廻りに前後シーソー状揺動可能に設けられると共に、上記蓋部材２に下部６ｂが係止して上記キャップ３を閉状態に保持するためのロック部材６を備え、上記ロック部材６の上部６ａを押圧することで、上記キャップ３のロックが解除されるように構成したので、キャップ３を開操作する際に、熱い飲料による蒸気が、キャップ３の下前端縁近傍と蓋部材２との間に形成される隙間から噴き出しても（漏れても）、操作者の手指に蒸気が触れずに安全にキャップ３を開状態にできる。
【００３８】
また、上記吐出管部21は、上記蓋部材２の突出基準上面２ｇから所定突出寸法Ｈだけ突出し、上記水平状軸心Ｌ３は、上記突出基準上面２ｇから上記所定突出寸法Ｈの４０％以上７０％以下の高さ寸法ｈに設定されているので、パッキン31による密封性を確実に得られると共に、パッキン31を長寿命化できる。キャップ３（キャップ本体30）をコンパクト化できる。美観に優れたキャップ３を得られる。
【００３９】
また、上記蓋部材２は、上記ボトル本体１の開口部１ａと連通する裏面空間部22と、上記吐出管部21の内部とを、前後縦長状の孔部25ｄが貫設された区画壁部25を介して連通しているので、ボトル本体１から吐出管部21への急激な（大量の）流入を防止でき、直飲みの際は、飲料を口で受けやすく（一気に飲料が吐出せず、こぼれにくくて飲みやすく）、コップ飲みの際はコップ５に注ぎやすく、安全性が向上すると共に、使い勝手が良くなる。
【符号の説明】
【００４０】
１  ボトル本体
１ａ  開口部
２  蓋部材
２ｇ  突出基準上面
３  キャップ
５  コップ
６  ロック部材
６ａ  上部
６ｂ  下部
21  吐出管部
22  裏面空間部
25  区画壁部
25ｄ  孔部
31  パッキン
Ｈ  所定突出寸法
ｈ  高さ寸法
Ｌ３  水平状軸心
Ｌ６  枢支軸心
【図１】
2020022686.tif 000003
【図２】
2020022686.tif 000004
【図３】
2020022686.tif 000005
【図４】
2020022686.tif 000006
【図５】
2020022686.tif 000007
【図６】
2020022686.tif 000008
【図７】
2020022686.tif 000009
【図８】
2020022686.tif 000010
【図９】
2020022686.tif 000011
【図１０】
2020022686.tif 000012
【図１１】
2020022686.tif 000013